(57)【特許請求の範囲】
【請求項１】
コネクタハウジングとこのコネクタハウジング内に収容される端子金具とを備えてなり、相手側取付部材に対してステーを介して取り付けられるようになっているとともに、前記コネクタハウジング同士を連結し得るようになっているコネクタであって、
前記コネクタハウジングの外面には、
第１連結部と、
他の前記コネクタハウジングに形成されている前記第１連結部と嵌合することで双方のコネクタハウジングを連結状態とする第２連結部と、
第１ロック部と、
前記コネクタハウジングの外面に沿い、且つその外面との間に前記ステーの挿入空間を空けて延びるとともに、前記コネクタハウジングの外面に対して接近・離間方向に弾性的に傾動変形し得る弾性ロック片とが形成され、
この弾性ロック片における前記挿入空間に臨む内面には、前記ステーと係止することでそのステーの前記挿入空間からの離脱を規制する突起状のステー用ロック部が形成され、
前記弾性ロック片における前記挿入空間と反対側の外面には、前記第１ロック部と係止することで連結状態とされたコネクタハウジング同士の離脱を規制する第２ロック部が形成され、
前記コネクタハウジングの外面と前記突起状のステー用ロック部との間には、前記コネクタハウジングの前記第２ロック部と前記他のコネクタハウジングの前記第１ロック部が係止する過程で、前記弾性ロック片が前記挿入空間内に進出する方向に弾性撓みすることを許容する空間が設けられていることを特徴とするコネクタ。
【請求項２】
前記挿入空間に対する前記ステーの挿入方向は、前記弾性ロック片の傾動支点側から延出端側に向かう方向と同じ方向とされていることを特徴とする請求項１記載のコネクタ。
【請求項３】
連結状態とされている２つのコネクタハウジングの間に治具を差し込み、その治具により、前記第１ロック部から前記第２ロック部を解離させる方向へ前記弾性ロック片を傾動させることが可能となっており、
前記コネクタハウジングに対する前記治具の差込みの入口は、前記コネクタハウジングにおける電線導出面とは反対側に面して設けられていることを特徴とする請求項１又は請求項２記載のコネクタ。
【請求項４】
連結状態とされている２つのコネクタハウジングの間に治具を差し込み、その治具により、前記第１ロック部から前記第２ロック部を解離させる方向へ前記弾性ロック片を傾動させることが可能となっており、
前記コネクタハウジングに対する前記治具の差込み方向は、前記弾性ロック片における傾動支点側から延出端側へ向かう方向と同じ方向とされていることを特徴とする請求項１乃至請求項３のいずれかに記載のコネクタ。
【請求項５】
前記コネクタハウジングにおける前記第１ロック部の形成されている外面には、前記弾性ロック片を傾動させるための前記治具の傾き動作を許容する逃がし凹部が形成されていることを特徴とする請求項３又は請求項４記載のコネクタ。
【発明の詳細な説明】
【０００１】
【発明の属する技術分野】
本発明は、コネクタに関するものである。
【０００２】
【従来の技術】
自動車のエンジンルーム内にワイヤーハーネスを配索する場合、そのワイヤーハーネスを構成しているコネクタハウジングをボディに固定することで所定の配索経路を確保することが行われているが、このようにコネクタハウジングをボディ固定する手段として、従来、図１１に示す手段がとられている。
【０００３】
これは、ボディ１には、取付孔３を有する板状のステー２を設け、コネクタハウジング４の下面には、取付孔３に係止される突起５を形成するとともにその突起５の両側に鉤形断面のガイド６を形成しておき、その両鉤形ガイド６をステー２の両側縁に嵌合させつつスライドさせることで、コネクタハウジング４をステー２に取り付けるようにしたものである。
【０００４】
【発明が解決しようとする課題】
上記のように１つのコネクタハウジング４を１つのステー２を介してボディ１に取り付ける手段では、エンジンルーム内に複数のワイヤーハーネスが配索される場合に、ステー２の数が多くなるだけでなく、ボディ１側に複数のステー２を配置するためのスペースも必要となる、という問題が生じる。
【０００５】
本願発明は上記事情に鑑みて創案されたものであって、１つのステーにより複数のコネクタハウジングを相手側取付部材に取り付けることができるようにすることを目的としている。
【０００６】
【課題を解決するための手段】
請求項１の発明は、コネクタハウジングとこのコネクタハウジング内に収容される端子金具とを備えてなり、相手側取付部材に対してステーを介して取り付けられるようになっているとともに、前記コネクタハウジング同士を連結し得るようになっているコネクタであって、前記コネクタハウジングの外面には、第１連結部と、他の前記コネクタハウジングに形成されている前記第１連結部と嵌合することで双方のコネクタハウジングを連結状態とする第２連結部と、第１ロック部と、前記コネクタハウジングの外面に沿い、且つその外面との間に前記ステーの挿入空間を空けて延びるとともに、前記コネクタハウジングの外面に対して接近・離間方向に弾性的に傾動変形し得る弾性ロック片とが形成され、この弾性ロック片における前記挿入空間に臨む内面には、前記ステーと係止することでそのステーの前記挿入空間からの離脱を規制する突起状のステー用ロック部が形成され、前記弾性ロック片における前記挿入空間と反対側の外面には、前記第１ロック部と係止することで連結状態とされたコネクタハウジング同士の離脱を規制する第２ロック部が形成され、前記コネクタハウジングの外面と前記突起状のステー用ロック部との間には、前記コネクタハウジングの前記第２ロック部と前記他のコネクタハウジングの前記第１ロック部が係止する過程で、前記弾性ロック片が前記挿入空間内に進出する方向に弾性撓みすることを許容する空間が設けられている構成とした。
【０００７】
請求項２の発明は、請求項１の発明において、前記挿入空間に対する前記ステーの挿入方向は、前記弾性ロック片の傾動支点側から延出端側に向かう方向と同じ方向とされている構成とした。
請求項３の発明は、請求項１又は請求項２の発明において、連結状態とされている２つのコネクタハウジングの間に治具を差し込み、その治具により、前記第１ロック部から前記第２ロック部を解離させる方向へ前記弾性ロック片を傾動させることが可能となっており、
前記コネクタハウジングに対する前記治具の差込みの入口は、前記コネクタハウジングにおける電線導出面とは反対側に面して設けられている構成とした。
【０００８】
請求項４の発明は、請求項１乃至請求項３のいずれかの発明において、連結状態とされている２つのコネクタハウジングの間に治具を差し込み、その治具により、前記第１ロック部から前記第２ロック部を解離させる方向へ前記弾性ロック片を傾動させることが可能となっており、
前記コネクタハウジングに対する前記治具の差込み方向は、前記弾性ロック片における傾動支点側から延出端側へ向かう方向と同じ方向とされている構成とした。
【０００９】
請求項５の発明は、請求項３又は請求項４の発明において、前記コネクタハウジングにおける前記第１ロック部の形成されている外面には、前記弾性ロック片を傾動させるための前記治具の傾き動作を許容する逃がし凹部が形成されている構成とした。
【００１０】
【発明の作用及び効果】
［請求項１の発明］
コネクタハウジング同士の連結に際しては、一方のコネクタハウジングの第１連結部と他方のコネクタハウジングの第２連結部とを嵌合させるとともに、第１ロック部と第２ロック部とを係止させることで離脱規制する。また、ステーにコネクタハウジングを取り付ける際には、ステーを挿入空間に差し込んでステー用ロック部をステーに係止させる。
【００１１】
［請求項２の発明］
挿入空間にステーを挿入した状態では、ステーの基端部は、弾性ロック片の延出端とは反対側へ向けて挿入空間外へ延びる。したがって、弾性ロック片のステー用ロック部とステーとのロックを外すために弾性ロック片の延出端に指や治具などを宛う際には、その指や治具がステーと干渉せずに済む。
［請求項３の発明］
治具は、電線の導出されている側とは反対側から差し込まれるようになっているので、差込みの際に電線が邪魔にならずに済む。
【００１２】
［請求項４の発明］
弾性ロック片を傾動させる際には治具を傾けるように操作するが、このときの、治具の傾き支点と弾性ロック片の傾動の支点とがほぼ同じ位置となるので、治具は概ね弾性ロック片に沿わせた状態を保つ。
［請求項５の発明］
逃がし凹部を形成したことにより、第１ロック部の形成されている外面と弾性ロック片の外面との間の隙間を狭めることができる。
【００１３】
【発明の実施の形態】
［実施形態１］
以下、本発明を具体化した実施形態１を図１乃至図１０を参照して説明する。本実施形態のコネクタは、相手側取付部材Ａに対してステーＳを介して取り付けられるようになっている。ステーＳは、板状をなし、相手側取付部材Ａの上面に対しその端縁から先端部を突出させた状態で水平に固定されている（図１及び図６を参照）。また、ステーＳの平面形状は、図８に想像線で示すように、全体として方形をなし、コネクタハウジング１０に嵌合される先端部分が基端側に対して段差状に幅狭となった形状であり、この段差部分が突当部Ｓａとなっている。また、ステーＳの幅狭部Ｓｂには、その幅方向中央に位置する方形のロック孔Ｓｃが形成されている。
【００１４】
コネクタは、いわゆるジョイントコネクタと称されるものであり、コネクタハウジング１０と、このコネクタハウジング１０内対して後方から挿入される複数のハーネス側端子金具１１と、コネクタハウジング１０の内部において複数のハーネス側端子金具１１同士を導通可能に接続させるためのジョイント端子金具１２とを備えて構成されている。ハーネス側端子金具１１に接続された電線１３は、コネクタハウジング１０の後端面、即ち電線導出面１４から後方へ導出されている。
【００１５】
尚、以下の説明において、前後方向に付いては、図１〜図８における右側を前側ということにする。また、上下方向については、図１〜図６を基準とする。
さて、コネクタハウジング１０は、全体として高さに比べて幅寸法が大きい扁平な角筒形をなし、その前端部は前面壁１５で塞がれた形態となっている。コネクタハウジング１０の外面のうち平坦状の上面１０Ｕには、その幅方向及び前後方向におけるほぼ中央に位置して第１ロック部１６が形成されている。第１ロック部１６は、突起状をなし、前面がコネクタハウジング１０の上面１０Ｕ、即ち前後方向（連結相手のコネクタハウジング１０から離脱方向）に対して傾斜した誘導面１６Ｆとなっているとともに、後面がコネクタハウジング１０の上面１０Ｕに対して直角又はオーバーハング状に立ち上がった係止面１６Ｒとなっている。
【００１６】
また、コネクタハウジング１０の上面１０Ｕには、第１ロック部１６よりも前方に位置して逃がし凹部１７が形成されている。この逃がし凹部１７は、前後方向に細長く延びているとともに、前方に向かって下り傾斜となっている。即ち、前方に向かうほど逃がし凹部１７の深さが深くなっている。この逃がし凹部１７の左右の左右両内側面は、前方から視て、上に向かって幅広となるように傾斜している。また、逃がし凹部１７の底面の幅は前後方向における全長に亘って一定幅であって、その幅寸法は第１ロック部１６とほぼ同じ寸法となっている。
【００１７】
さらに、コネクタハウジング１０の上面１０Ｕには、第１ロック部１６を挟むように位置する左右一対の第１連結部１８が形成されている。第１連結部１８は、前方から視て内側へ屈曲したＬ字形（鉤形）断面をなし、前後方向（＝コネクタハウジング１０同士を連結する際の組付け方向）に直線状に延びている。また、第１連結部１８の後端部には第１ストッパ１９が形成されている。
コネクタハウジング１０の平坦状の下面１０Ｌには、その幅方向中央に位置して方形の板部２０が形成されている。この板部２０は、その左右両側縁においてコネクタハウジング１０の下面１０Ｌに連なっているとともに、コネクタハウジング１０の下面１０Ｌに対して平行をなしている。板部２０のうち幅方向中央部分は、左右一対のスリット２１により後方へコネクタハウジング１０の下面１０Ｌと平行に片持ち状に延出する弾性ロック片２２となっている。この弾性ロック片２２は、コネクタハウジング１０の下面１０Ｌに沿い、且つその下面１０Ｌとの間にステーＳの挿入空間２３を空けて延びているとともに、コネクタハウジング１０の下面１０Ｌに対して接近・離間方向（上下方向）に弾性的に傾動変形し得るようになっている。
【００１８】
この弾性ロック片２２における挿入空間２３に臨む内面（上面）には、ステーＳと係止することでそのステーＳの挿入空間２３からの離脱を規制する突起状のステー用ロック部２４が形成されている。このステー用ロック部２４の前面は前後方向（挿入空間２３に対するステーＳの差し込み方向）に対して傾斜した誘導面２４Ｆとなつているとともに、後面が前後方向（挿入空間２３に対するステーＳの抜き方向）に対して直角又はオーバーハング状をなす係止面２４Ｒとなっている。
【００１９】
一方、弾性ロック片２２における挿入空間２３と反対側の外面（下面）には、上記第１ロック部１６と係止可能な突起状の第２ロック部２６が形成されている。この第２ロック部２６の前面は、前後方向（連結相手のコネクタハウジング１０から離脱する方向）に対して直角又はオーバーハング状をなす係止面２６Ｆとなっているとともに、後面は前後方向（連結相手のコネクタハウジング１０に対する組付け方向）に対して傾斜した誘導面２６Ｒとなっている。また、弾性ロック片２２の下面には、第２ロック部２６から前方及び後方の双方に延びるガイド溝２７Ｆ，２７Ｒが形成されている。
【００２０】
また、板部２０における左右両縁部は、幅方向外向きに突出するとともに前後方向に直線状に延びるリブ状の第２連結部２８となっている。この第２連結部２８は、上記第１連結部１８の溝部に対し前後方向への相対的に摺動を可能に嵌合されるようになっている。また、第２連結部２８の前端部には、第２ストッパ２９が形成されている。
ここで、各部材の方向についてまとめて説明する。弾性ロック片２２の延出方向は、その弾性ロック片２２が形成されているコネクタハウジング１０が、第１ロック部１６を係止させる相手側（図１における上側）のコネクタハウジング１０に対して組み付られる方向と同じ方向である。弾性ロック片２２の延出方向と挿入空間２３に対するステーＳの挿入方向は同じ方向である。弾性ロック片２２の延出方向とコネクタハウジング１０に対する治具Ｊの差込み方向は同じ方向である。挿入空間２３に対するステーＳの挿入方向はコネクタハウジング１０に対する治具Ｊの差込み方向と同じ方向である。コネクタハウジング１０からの電線１３の導出方向と弾性ロック片２２の延出方向は同じ方向である。コネクタハウジング１０からの電線１３の導出方向と挿入空間２３に対するステーＳの挿入方向は同じ方向である。コネクタハウジング１０からの電線１３の導出方向とコネクタハウジング１０に対する治具Ｊの差込み方向は同じ方向である。
【００２１】
次に、本実施形態の作用を説明する。
コネクタハウジング１０同士の連結に際しては、図１において、下側に位置するコネクタハウジング１０の第１連結部１８に対し、上側に位置するコネクタハウジング１０の第２連結部２８を前方から嵌合して連結状態にする。この連結の過程では、下側のコネクタハウジング１０の第１ロック部１６が上側のコネクタハウジング１０の前側のガイド溝２７Ｆ内を移動し、次いで、第１ロック部１６と第２ロック部２６の双方の誘導面１６Ｆ，２６Ｒが当接すると、その傾斜により上側のコネクタハウジング１０の弾性ロック片２２が上方（上側のコネクタハウジング１０の下面１０Ｌに接近する方向であって、挿入空間２３内に進出する方向）に弾性的に傾動変位し、これによってその弾性ロック片２２の第２ロック部２６が下側の第１ロック部１６を乗り越える。
【００２２】
そして、両コネクタハウジング１０が正規の連結状態に至ると、弾性ロック片２２が弾性復帰して第１ロック部１６の係止面１６Ｒに対して第２ロック部２６の係止面２６Ｆが後方から係止する状態となり、これによって上側のコネクタハウジング１０の前方への抜けが規制される。また同時に、下側のコネクタハウジング１０の第１連結部１８の第１ストッパ１９に対して上側のコネクタハウジング１０の第２連結部２８の後端が突き当たるとともに、第１連結部１８の前端に対して第２連結部２８の第２ストッパ２９が突き当たり、この２つの突き当たり動作によって両コネクタハウジング１０のそれ以上の組付け方向の遊動（下側のコネクタハウジング１０の上側のコネクタハウジング１０に対するそれ以上の後方への相対移動）が規制される。以上により、両コネクタハウジング１０は前後方向への相対移動を規制された状態にロックされる。
【００２３】
さて、この連結状態から両コネクタハウジング１０を離脱する際には、図３に示すように、マイナスドライバー状の細長い治具Ｊを両コネクタハウジング１０の間に形成される差込み用の入り口３０に対向させ、図４に示すように、その治具Ｊを、入り口３０から弾性ロック片２２と下側のコネクタハウジング１０の上面１０Ｕとの間、即ち、逃がし凹部１７内に差し込んで、差し込み方向先端部を上向きに（弾性ロック片２２に向かって）傾ける。このときの傾動の支点は、逃がし凹部１７の前端縁（入り口３０側の端縁）となる。このように治具Ｊを傾動操作すると、治具Ｊの先端が弾性ロック片２２における第１ロック部１６の少し前側の位置を押してその弾性ロック片２２を上方へ強制的に弾性変位させる。これにより、第１ロック部１６と第２ロック部２６との係合が解除されて両コネクタハウジング１０の離脱方向の相対移動が許容される。そして、このロック解除状態を保ったままで、図５に示すように、上側のコネクタハウジング１０を前方へスライドさせれば、両コネクタハウジング１０が離脱される。
【００２４】
また、コネクタハウジング１０をステーＳに取り付ける際には、後方へ水平に突出するステーＳに対し、後方からコネクタハウジング１０の下面１０Ｌ部分を接近させ、その挿入空間２３内にステーＳを嵌合させる。嵌合の過程では、ステーＳの先端（後端）がステー用ロック部２４の誘導面２４Ｆに当接してその傾斜により弾性ロック片２２が下方（コネクタハウジング１０の下面１０Ｌから離間する方向であって、挿入空間２３とは反対の方向）へ弾性変位する。そして、ステーＳに対してコネクタハウジング１０が正規の取付け位置に達すると、ステーＳの突当部Ｓａが板部２０の左右両端部における前端面に当接して、ステーＳのそれ以上の挿入空間２３への差し込みが規制されるとともに、弾性ロック片２２が弾性復帰してそのロック孔Ｓｃとステー用ロック部２４が嵌合し、そのステー用ロック部２４の係止面２４Ｒがロック孔Ｓｃの後端縁に対して前方から係止し、もってステーＳに対するコネクタハウジング１０の後方へ抜けが規制される。以上により、コネクタハウジング１０がステーＳに対して抜き挿し不能状態にロックされる。
【００２５】
さて、ステーＳに取り付けられているコネクタハウジング１０を外す際には、弾性ロック片２２の後端部（自由端部）に指を引っ掛けてその弾性ロック片２２を下方（コネクタハウジング１０の下面１０Ｌから離間する方向）へ強制的に弾性変位させる。すると、図６に示すように、ステー用ロック部２４がステーＳのロック孔Ｓｃから解離してロック解除状態となるから、あとは、そのロック解除状態を保ったままコネクタハウジング１０を後方へ移動させればステーＳから外される。
【００２６】
上述のように本実施形態においては、コネクタハウジング１０の上面１０Ｕにコネクタハウジング１０同士の連結手段である第１ロック部１６を形成するとともに、下面１０Ｌには、コネクタハウジング１０動の連結手段としての第２ロック部２６とステーＳへの組付け手段としてのステー用ロック部２４とを備える弾性ロック片２２を設けたので、コネクタハウジング１０を複数個連結した状態で１つのステーＳに取り付けることができる。
【００２７】
また、挿入空間２３に対するステーＳの挿入方向を、弾性ロック片２２の傾動支点側から延出端側に向かう方向と同じ方向としたので、挿入空間２３にステーＳを挿入した状態では、ステーＳの基端部（前端側）は、弾性ロック片２２の延出端（後端）とは反対側へ向けて挿入空間２３外へ延びることになる。したがって、弾性ロック片２２のステー用ロック部２４とステーＳとのロックを外すために弾性ロック片２２の延出端に指や治具Ｊなどを宛う際には、その指や治具ＪがステーＳと干渉せずに済んでいる。
【００２８】
コネクタハウジング１０に対する治具Ｊの差込みの入口３０は、コネクタハウジング１０における電線導出面１４とは反対側に面して設けられ、治具Ｊが、電線１３の導出されている側とは反対側から差し込まれるようになっているので、治具Ｊを差し込む際に電線１３が邪魔にならずに済んでいる。
また、弾性ロック片２２を傾動させる際には治具Ｊを傾けるように操作するが、本実施形態ではコネクタハウジング１０に対する治具Ｊの差込み方向を、弾性ロック片２２におけるその傾動支点側から延出端側へ向かう方向と同じ方向としているので、治具Ｊの傾き操作のときの、治具Ｊの傾き支点と弾性ロック片２２の傾動の支点とが前後方向においてほぼ同じ位置となる。したがって、治具Ｊは概ね弾性ロック片２２に沿わせた状態を保つことができる。
【００２９】
また、コネクタハウジング１０の上面１０Ｕに弾性ロック片２２を傾動させるための治具Ｊの傾き動作を許容する逃がし凹部１７を形成したので、連結状態における下側のコネクタハウジング１０の上面１０Ｕ（第１ロック部１６の形成されている面）と上側のコネクタハウジング１０における弾性ロック片２２の下面との間の隙間を狭めることが実現されている。
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００３０】
（１）上記実施形態ではワイヤーハーネスの端末に取り付けられるジョイントコネクタに適用した場合について説明したが、本発明は、いわゆるワイヤーハーネスの経路途中に設けられるワイヤツーワイヤタイプのコネクタにも適用することができる。
（２）上記実施形態の弾性ロック片の延出方向は、その弾性ロック片が形成されているコネクタハウジングの第１ロック部を係止させる相手側（図１における上側）のコネクタハウジングに対する組み付け方向と同じ方向としたが、本発明によれば、双方の方向は互いに逆向きとしてもよい。
【００３１】
（３）上記実施形態では弾性ロック片の延出方向と挿入空間に対するステーの挿入方向とを同じ方向としたが、本発明によれば、双方の方向きを逆向きとしてもよい。
（４）上記実施形態では弾性ロック片の延出方向とコネクタハウジングに対する治具の差込み方向とを同じ方向としたが、本発明によれば、双方の方向を互いに逆向きとしてもよい。
（５）上記実施形態では挿入空間に対するステーの挿入方向とコネクタハウジングに対する治具の差込み方向とを同じ方向としたが、本発明によれば、双方の方向を互いに逆向きとしてもよい。
【００３２】
（６）上記実施形態ではコネクタハウジングからの電線の導出方向と弾性ロック片の延出方向とを同じ方向としたが、本発明によれば、双方の方向を逆向きとしてもよい。
（７）上記実施形態ではコネクタハウジングからの電線の導出方向と挿入空間に対するステーの挿入方向とを同じ方向としたが、本発明によれば、双方の方向を逆向きとしてもよい。
（８）上記実施形態ではコネクタハウジングからの電線の導出方向とコネクタハウジングに対する治具の差込み方向とを同じ方向としたが、本発明によれば、双方の方向を逆向きとしてもよい。
【００３３】
（９）上記実施形態では第１ロック部と第２ロック部の双方を突起状としたが、本発明によれば、第１ロック部と第２ロック部のうちのいずれか一方を突起状にするとともに他方を孔状としてもよい。
【００３４】
（１０）上記実施形態では第１ロック部と第２ロック部をコネクタハウジングの互いに正反対となる外面に設けたが、本発明によれば、第１ロック部の形成される外面と第２ロック部の形成される外面とが互いに直交するようにしてもよい。
【図面の簡単な説明】
【図１】実施形態１においてコネクタハウジング同士を連結するとともにコネクタをステーに取り付けた状態を示す断面図
【図２】コネクタハウジングの断面図
【図３】コネクタハウジング同士のロックを解除する前の状態を示す部分断面図
【図４】コネクタハウジング同士のロック解除途中の状態を示す部分断面図
【図５】コネクタハウジング同士のロックを解除した状態を示す部分断面図
【図６】弾性ロック片とステーとのロックを解除した状態を示す部分断面図
【図７】コネクタハウジングの平面図
【図８】コネクタハウジングの底面図
【図９】コネクタハウジングの正面図
【図１０】コネクタハウジングの背面図
【図１１】従来例の断面図
【符号の説明】
１０…コネクタハウジング
１１，１２…端子金具
１３…電線
１４…電線導出面
１６…第１ロック部
１７…逃がし凹部
１８…第１連結部
２２…弾性ロック片
２３…挿入空間
２４…ステー用ロック部
２６…第２ロック部
２８…第２連結部
３０…コネクタハウジング間における治具の差込みの入口
Ａ…相手側取付部材
Ｓ…ステー
【図１】
0003698250.tif 000002
【図２】
0003698250.tif 000003
【図３】
0003698250.tif 000004
【図４】
0003698250.tif 000005
【図５】
0003698250.tif 000006
【図６】
0003698250.tif 000007
【図７】
0003698250.tif 000008
【図８】
0003698250.tif 000009
【図９】
0003698250.tif 000010
【図１０】
0003698250.tif 000011
【図１１】
0003698250.tif 000012